(57)【要約】【課題】重錘の位置ずれが生じにくいルアー２の提供。【解決手段】ルアー２は、ボディ１２とワイヤー１４とを有している。ボディ１２は、主部２４と重錘２６とを有している。重錘２６の密度は、主部２４の密度よりも大きい。主部２４の密度Ｄ１に対する重錘２６の密度Ｄ２の比（Ｄ２／Ｄ１）は、１．４以上である。主部２４の典型的な材質は、鉛又は鉛合金である。重錘２６の典型的な材質は、タングステン又はタングステン合金である。重錘２６は、埋設部２８と露出部３０とを有している。埋設部２８は、主部２４にくるまれている。露出部３０は、主部２４にくるまれていない。ワイヤー１４のヘッド側端１６の近傍は、ヘッド側縦溝３４に収容されている。ワイヤー１４のテール側端１８の近傍は、テール側縦溝３６に収容されている。【選択図】図２
2017139966.tif 000002
【特許請求の範囲】
【請求項１】
ボディと、アイのためのワイヤーとを備えており、
上記ボディが、主部と、この主部の密度よりも大きな密度を有する重錘とを有しており、
上記重錘が、上記主部にくるまれた埋設部と、上記主部にくるまれていない露出部とを有しており、
上記ワイヤーが、上記埋設部と係合しているルアー。
【請求項２】
上記主部の密度Ｄ１に対する、上記重錘の密度Ｄ２の比（Ｄ２／Ｄ１）が、１．４以上である請求項１に記載のルアー。
【請求項３】
上記主部の密度が１０．０ｇ／ｃｍ３以上であり、上記重錘の密度が１８．０ｇ／ｃｍ３以上である請求項１又は２に記載のルアー。
【請求項４】
上記主部の材質が鉛又は鉛合金であり、上記重錘の材質がタングステン又はタングステン合金である請求項１から３のいずれかに記載のルアー。
【請求項５】
上記主部の表面が着色されており、上記露出部の表面が着色されていない請求項１から４のいずれかに記載のルアー。
【請求項６】
重錘にワイヤーを係合させて、係合部を形成する工程、
上記重錘及び上記ワイヤーを型にインサートする工程、
上記型に溶融金属を充填し、この金属で係合部を覆う工程、
及び
上記金属を凝固させてボディの主部を形成する工程
を含む、ルアーの製造方法。
【発明の詳細な説明】
【技術分野】
【０００１】
本発明は、釣りに用いられるルアーに関する。詳細には、本発明は、ジグと称される高比重なルアーに関する。
【背景技術】
【０００２】
ブリ及びその幼魚、カンパチ及びその幼魚、ヒラマサ、マグロ、カツオ、太刀魚等の大型の魚は、ベイトとして小魚を補食する。これら大型の魚は、フィッシュイーターと称されている。フィッシュイーターを捕獲する手段として、ルアーフィッシングが普及している。このルアーフィッシングに、ジグと称されるルアーが用いられている。このルアーは、金属製である。ジグの一例が、株式会社シマノ発行の「２０１５シマノフィッシングタックルカタログ」に開示されている。
【０００３】
釣り人がルアー（ジグ）を海に投入すると、このルアーは海底に向かって沈降していく。このときのルアーの動作は、フォールアクションと称されている。釣り人が釣り糸をしゃくり上げると、ルアーは上昇する。このときのルアーの動作は、ジャークアクションと称されている。
【０００４】
釣り人がルアーをキャストすることもある。キャスト後に釣り人が糸を巻くと、ルアーは水中を泳ぐ。このときのルアーの動作は、スイムアクションと称されている。
【０００５】
海底に向かって沈降していく速度が速いほど、ルアーは早期に所定深さに到達する。沈降速度の観点から、このルアーには、密度の高い金属が用いられている。具体的には、ルアーのボディは、鉛又は鉛合金から形成されている。このルアーは、キャスティング時の飛距離の点でも有利である。
【０００６】
フォールアクション、ジャークアクション及びスイムアクションは、フィッシュイーターにルアーの存在をアピールする。これらのアクションを適正にする目的で、ボディが重錘を内蔵するルアーが提案されている。重錘の材質は、タングステン又はタングステン合金である。重錘により、ルアーの重心位置が調整されうる。適正な重心位置は、適正なアクションを生む。アクションの適正化の観点から、重錘の一部が露出したボディを有するルアーも提案されている。
【先行技術文献】
【非特許文献】
【０００７】
【非特許文献１】株式会社シマノ発行の「２０１５シマノフィッシングタックルカタログ」
【発明の概要】
【発明が解決しようとする課題】
【０００８】
沈降により、ルアーと海底の岩とが衝突することがある。ルアーが繰り返し使用されると、衝突時の衝撃等が原因で、金属が塑性変形を起こすことがある。重錘が露出したボディを有するルアーにおいて塑性変形が生じると、重錘の位置がずれてしまうことがある。位置のずれが生じたルアーでは、本来のアクションが得られない。
【０００９】
本発明の目的は、重錘の位置ずれが生じにくいルアーの提供にある。
【課題を解決するための手段】
【００１０】
本発明に係るルアーは、ボディと、アイのためのワイヤーとを備える。このボディは、主部と、この主部の密度よりも大きな密度を有する重錘とを有する。この重錘は、主部にくるまれた埋設部と、主部にくるまれていない露出部とを有する。ワイヤーは、埋設部と係合している。
【００１１】
好ましくは、主部の密度Ｄ１に対する、重錘の密度Ｄ２の比（Ｄ２／Ｄ１）は、１．４以上である。
【００１２】
好ましくは、主部の密度は１０．０ｇ／ｃｍ３以上であり、重錘の密度は１８．０ｇ／ｃｍ３以上である。
【００１３】
好ましくは、主部の材質は鉛又は鉛合金であり、重錘の材質はタングステン又はタングステン合金である。
【００１４】
好ましくは、主部の表面は着色されており、露出部の表面は着色されていない。
【００１５】
本発明に係るルアーの製造方法は、
重錘にワイヤーを係合させて、係合部を形成する工程、
重錘及びワイヤーを型にインサートする工程、
型に溶融金属を充填し、この金属で係合部を覆う工程、
及び
金属を凝固させてボディの主部を形成する工程
を含む。
【発明の効果】
【００１６】
本発明に係るルアーでは、重錘によって重心位置が適正化されている。このルアーのアクションは、ルアーの存在をフィッシュイーターにアピールする。このルアーでは、ワイヤーと埋設部との係合により、重錘の移動が抑制される。このルアーの重心位置は、変動しにくい。
【図面の簡単な説明】
【００１７】
【図１】図１は、本発明の一実施形態に係るルアーが示された正面図である。
【図２】図２は、図１のルアーが示された断面図である。
【図３】図３は、図１のIII−III線に沿った拡大断面図である。
【図４】図４は、図１のルアーの重錘が示された正面図である。
【図５】図５は、図１のルアーの重錘とワイヤーとが示された正面図である。
【発明を実施するための形態】
【００１８】
以下、適宜図面が参照されつつ、好ましい実施形態に基づいて本発明が詳細に説明される。
【００１９】
図１−３には、本発明の一実施形態に係るルアー２が示されている。図１及び２には、ヘッド４を前に、テール６を後に、背８を上に、そして腹１０を下に向けた状態のルアー２が示されている。図２に示されるように、このルアー２は、ボディ１２とワイヤー１４とを有している。
【００２０】
図２に示されるように、ワイヤー１４はヘッド側の端１６から腹１０の方向へ延び、湾曲してヘッド４の方向に向かって延びている。ワイヤー１４は、ヘッド４の近傍で折り返され、テール６の方向に向かって延びている。ワイヤー１４は、テール６の近傍で折り返され、ヘッド４の方向に向かって延びている。さらにワイヤー１４は、テール側の端１８の近傍で湾曲し、背８の方向へと伸びている。ワイヤー１４の大半は、ボディ１２にくるまれている。
【００２１】
ワイヤー１４のヘッド４の近傍での折り返しにより、ラインアイ２０が形成されている。このラインアイ２０は、ボディ１２にくるまれていない。換言すれば、ラインアイ２０は、ボディ１２から露出している（図１参照）。ラインアイ２０には、釣り糸が結ばれる。金具を介して、ラインアイ２０に釣り糸が連結されてもよい。ラインアイ２０に、いわゆるアシストフックが取り付けられてもよい。
【００２２】
ワイヤー１４のテール６の近傍での折り返しにより、フックアイ２２が形成されている。このフックアイ２２は、ボディ１２にくるまれていない。換言すれば、フックアイ２２は、ボディ１２から露出している（図１参照）。フックアイ２２には、直接に、又は金具を介して、釣り針が取り付けられる。
【００２３】
図３において、上下方向のボディ１２のサイズは、体高である。図３において、左右方向のボディ１２のサイズは、幅である。体高は、幅よりも大きい。換言すれば、このルアー２は、偏平である。偏平であるルアー２のアクションは、このルアー２の存在をフィッシュイーターにアピールする。
【００２４】
ボディ１２は、主部２４と重錘２６とを有している。重錘２６の材質は、主部２４の材質とは異なる。重錘２６の密度は、主部２４の密度よりも大きい。主部２４の典型的な材質は、鉛又は鉛合金である。重錘２６の典型的な材質は、タングステン又はタングステン合金である。
【００２５】
図４には、重錘２６が示されている。重錘２６は、埋設部２８と露出部３０とを有している。埋設部２８は、露出部３０よりも背寄りに位置している。図２及び３に示されるように、埋設部２８は主部２４にくるまれている。露出部３０は、主部２４にくるまれていない。図３から明らかなように、露出部３０の幅は、埋設部２８の幅よりも大きい。この重錘２６により、ボディ１２の重心の位置が腹１０寄りに設定されている。この重心位置は、フォールアクション、ジャークアクション及びスイムアクションの適正化に寄与しうる。この重心位置は、このルアー２での釣果を高める。
【００２６】
図４に示されるように、重錘２６は、横溝３２、ヘッド側縦溝３４及びテール側縦溝３６を有している。横溝３２は、ヘッド−テール方向に延在している。ヘッド側縦溝３４は、横溝３２から背８方向へ延びている。テール側縦溝３６は、横溝３２から背８方向へ延びている。
【００２７】
図５に示されるように、ワイヤー１４のうち、ヘッド−テール方向に延在する部分が、横溝３２に収容されている。ワイヤー１４のヘッド側端１６の近傍は、ヘッド側縦溝３４に収容されている。この収容により、ワイヤー１４が埋設部２８と係合している。ワイヤー１４のテール側端１８の近傍は、テール側縦溝３６に収容されている。この収容により、ワイヤー１４が埋設部２８と係合している。これらの係合により、係合部が形成されている。ワイヤー１４が、ヘッド側端１６の近傍のみで、重錘と係合してもよい。ワイヤー１４が、テール側端１８の近傍のみで、重錘と係合してもよい。
【００２８】
主部２４の表面の全体は、着色されている。着色は、主部２４にペイントが塗装されることでなされている。換言すれば、主部２４の表面は、全体的に塗装層で覆われている。一方、露出部３０は、着色されていない。主部２４の表面が、部分的に塗装層で覆われてもよい。
【００２９】
このルアー２の製造では、まず重錘２６が成形される。重錘２６の成形には、焼結法、鋳造法等が採用されうる。次にこの重錘２６が、ワイヤー１４と組み合わされる。ワイヤー１４の両端１６、１８の近傍は、埋設部２８と係合される。この重錘２６とワイヤー１４とが、型にインサートされる。この型に、溶融金属が流し込まれる。典型的な金属は、前述の通り、鉛又は鉛合金である。この金属の融点は、低い。溶融金属の温度は、重錘２６の融点よりも低く、ワイヤー１４の融点よりも低い。型のキャビティに、溶融金属が充填される。溶融金属は、埋設部２８を囲む。溶融金属は、係合部を覆う。溶融金属は、重錘２６とワイヤー１４との隙間にも流入する。この金属が冷却されて凝固し、主部２４が形成される。埋設部２８は、主部２４に鋳ぐるまれる。ワイヤー１４の一部も、主部２４に鋳ぐるまれる。この主部２４にペイントが塗布されて乾燥され、ルアー２が完成する。
【００３０】
このルアー２が海に投入されると、ルアー２の密度が海水の密度よりも大きいので、沈降する。ルアー２はやがて、海底に衝突する。主部２４の強度は低いので、衝突時の衝撃で、主部２４が塑性変形を起こすことがある。前述の通りワイヤー１４が埋設部２８と係合しているので、主部２４が変形しても、重錘２６の位置は大幅には変動しない。換言すれば、ボディ１２の重心位置は、大幅には変動しない。
【００３１】
重錘２６の密度が大きいので、ルアー２が着底するとき、露出部３０が海底と衝突する頻度が高い。露出部３０は塗装層を有していないので、衝突によっても塗装層の剥離は生じない。主部２４が海底と衝突することもあり得るが、主部２４は軟質なので、衝突による塗装層の剥離は生じにくい。このルアー２では、繰り返し使用されたときの色目の変化が起こりにくい。
【００３２】
図３において、矢印Ｈ１で示されているのはボディ１２の高さであり、Ｈ２で示されているのは露出部３０の高さである。ボディ１２の適正な重心位置の観点から、高さＨ１に対する高さＨ２の比（Ｈ２／Ｈ１）は０．２０以上が好ましく、０．２５以上がより好ましく、０．３０以上が特に好ましい。比（Ｈ２／Ｈ１）は、０．７以下が好ましい。比（Ｈ２／Ｈ１）は、高さＨ２が最も大きい断面にて測定される。
【００３３】
ボディ１２の適正な重心位置の観点から、主部２４の密度Ｄ１に対する重錘２６の密度Ｄ２の比（Ｄ２／Ｄ１）は１．４以上が好ましく、１．５以上がより好ましく、１．６以上が特に好ましい。比（Ｄ２／Ｄ１）は５．０以下が好ましい。
【００３４】
ボディ１２が大きな密度を有しうるとの観点から、主部２４の密度Ｄ１は１０．０ｇ／ｃｍ３以上が好ましく、１１．０ｇ／ｃｍ３以上が特に好ましい。
【００３５】
ボディ１２が大きな密度を有しうるとの観点から、重錘２６の密度Ｄ２は１８．０ｇ／ｃｍ３以上が好ましく、１９．０ｇ／ｃｍ３以上が特に好ましい。
【産業上の利用可能性】
【００３６】
本発明に係るルアーは、船上からのフィッシング、陸からのフィッシング等に用いられうる。
【符号の説明】
【００３７】
２・・・ルアー
１２・・・ボディ
１４・・・ワイヤー
２０・・・ラインアイ
２２・・・フックアイ
２４・・・主部
２６・・・重錘
２８・・・埋設部
３０・・・露出部
３２・・・横溝
３４・・・ヘッド側縦溝
３６・・・テール側縦溝
【図１】
2017139966.tif 000003
【図２】
2017139966.tif 000004
【図３】
2017139966.tif 000005
【図４】
2017139966.tif 000006
【図５】
2017139966.tif 000007